(57)【要約】【課題】簡易な構成で、薬などの被収容物の取出しを精度良く検知する。【解決手段】取出し検知装置は、被収容物を収容する複数の収容部を有する。各収容部には、電気的なスイッチが設けられているとともに、磁力によりスイッチのオンとオフを切り替える切替え手段が設けられている。被収容物が収容部から取り出されると、切替え手段によりスイッチが切り替えられ、被収容物の取出しが検知される。【選択図】図２
2018050759.tif 000002
【特許請求の範囲】
【請求項１】
各々が被収容物を収容する複数の収容部と、
各収容部に設けられた電気的なスイッチと、
各収容部に設けられ、前記被収容物が取り出されたか否かに応じて、磁力により前記スイッチのオンとオフを切り替える切替え手段と、
を備えることを特徴とする被収容物の取出し検知装置。
【請求項２】
前記切替え手段は、前記収容部から前記被収容物が取り出されたときに、前記スイッチをオンに切り替えることを特徴とする請求項１に記載の取出し検知装置。
【請求項３】
前記切替え手段は、磁石と、前記磁石により吸着される吸着体とを備え、
前記スイッチを構成する２つの接点が前記磁石及び前記吸着体のいずれか一方と一体化しており、前記２つの接点を導通させる導通面が前記磁石及び吸着体の他方と一体化しており、
前記非収容物は、前記収容部内において、前記磁石と前記吸着体との間に保持されることを特徴とする請求項２に記載の取出し検知装置。
【請求項４】
前記取出し検知装置はシート状であり、
第１の絶縁体シートと、
前記第１の絶縁体シート上に形成された導電性の配線と、
前記配線を覆うように前記第１の絶縁体シート上に設けられた第２の絶縁体シートと、
を備え、
前記導通面は、前記磁石及び前記吸着体のいずれか一方の上に設けられており、
前記２つの接点は、前記配線のうち前記第２の絶縁体シートにより覆われていない領域に設けられており、
前記磁石及び前記吸着体の他方は、前記第１の絶縁体シートにおける前記配線と反対側の面上であって、前記磁石及び前記吸着体の一方と対向する位置に取り付けられていることを特徴とする請求項３に記載の取出し検知装置。
【請求項５】
前記配線は、導電性塗料の印刷により形成されていることを特徴とする請求項４に記載の取出し検知装置。
【請求項６】
前記被収容物は、薬が入った袋であることを特徴とする請求項１乃至５のいずれか一項に記載の取出し検知装置。
【請求項７】
前記スイッチがオンとなった日時を取出し日時として検出する日時検出部と、
前記取出し日時を外部へ送信する送信部と、
を備えることを特徴とする請求項１乃至６のいずれか一項に記載の取出し検知装置。
【請求項８】
請求項１乃至７のいずれか一項に記載の取出し検知装置と、端末装置とを備えるシステムであって、
前記端末装置は、
前記取出し日時を受信する受信部と、
前記取出し日時を示す表示画面を表示する表示部と、
を備えることを特徴とする被収容物の取出し管理システム。
【請求項９】
前記表示画面は、取出し日を示す第１の軸と取出し時刻を示す第２の軸とを有するグラフと、前記グラフ上の取出し日時の位置に表示された取出し日時マークと、予め決められた適正な取出し時刻を示す適正時刻ラインと、を含むことを特徴とする請求項８に記載の取出し管理システム。
【発明の詳細な説明】
【技術分野】
【０００１】
本発明は、薬などの被収容物の取出しを検知する技術に関する。
【背景技術】
【０００２】
服薬管理を目的としたお薬カレンダーが知られている。例えば、特許文献１は、赤外線センサを利用してポケットから薬が取り出されたか否かを検出し、投薬の有無や時刻を管理する投薬管理システムを開示している。
【先行技術文献】
【特許文献】
【０００３】
【特許文献１】特開２０１５−１４３８９１号公報
【発明の概要】
【発明が解決しようとする課題】
【０００４】
しかし、特許文献１の技術では赤外線センサなどの光センサを利用しているため、外乱光などによる誤動作の可能性が高い。このため、外乱光を遮断する構造を設ける、検出光の変調を行うなど、誤検知を防止するための仕組みが必要となり、製造コストが高くなってしまうという課題がある。
【０００５】
本発明は、簡易な構成で、薬などの被収容物の取出しを精度良く検知することが可能な取出し検知装置及び取出し管理システムを提供することを主な目的とする。
【課題を解決するための手段】
【０００６】
本発明の１つの観点では、被収容物の取出し検知装置は、各々が被収容物を収容する複数の収容部と、各収容部に設けられた電気的なスイッチと、各収容部に設けられ、前記被収容物が取り出されたか否かに応じて、磁力により前記スイッチのオンとオフを切り替える切替え手段と、を備えることを特徴とする。
【０００７】
上記の取出し検知装置は、被収容物を収容する複数の収容部を有する。各収容部には、電気的なスイッチが設けられているとともに、磁力によりスイッチのオンとオフを切り替える切替え手段が設けられている。被収容物が収容部から取り出されると、切替え手段によりスイッチが切り替えられ、被収容物の取出しが検知される。
【０００８】
上記の取出し検知装置の一態様では、前記切替え手段は、前記収容部から前記被収容物が取り出されたときに、前記スイッチをオンに切り替える。
【０００９】
上記の取出し検知装置の他の一態様では、前記切替え手段は、磁石と、前記磁石により吸着される吸着体とを備え、前記スイッチを構成する２つの接点が前記磁石及び前記吸着体のいずれか一方と一体化しており、前記２つの接点を導通させる導通面が前記磁石及び吸着体の他方と一体化しており、前記非収容物は、前記収容部内において、前記磁石と前記吸着体との間に保持される。この態様では、被収容物が磁石と吸着体の間に保持されているため、被収容物が収容部内にある場合には、スイッチがオフとなっている。一方、被収容物が取り出されると、磁石と吸着体とが接触するため、スイッチがオンとなり、取出しが検知される。
【００１０】
上記の取出し検知装置の他の一態様では、取出し検知装置はシート状であり、第１の絶縁体シートと、前記第１の絶縁体シート上に形成された導電性の配線と、前記配線を覆うように前記第１の絶縁体シート上に設けられた第２の絶縁体シートと、を備え、前記導通面は、前記磁石及び前記吸着体のいずれか一方の上に設けられており、前記２つの接点は、前記配線のうち前記第２の絶縁体シートにより覆われていない領域に設けられており、前記磁石及び前記吸着体の他方は、前記第１の絶縁体シートにおける前記配線と反対側の面上であって、前記磁石及び前記吸着体の一方と対向する位置に取り付けられている。
【００１１】
上記の取出し検知装置の他の一態様では、前記配線は、導電性塗料の印刷により形成されている。これにより、配線を低コストで形成することができる。また、絶縁体シートに可撓性を持たせることにより、装置全体を丸めて持ち運びすることができる。好適な例では、被収容物は、薬が入った袋である。
【００１２】
上記の取出し検知装置の他の一態様は、前記スイッチがオンとなった日時を取出し日時として検出する日時検出部と、前記取出し日時を外部へ送信する送信部と、を備える。これにより、被収容物の取出し日時を外部の端末などに送信することができる。
【００１３】
本発明の他の観点では、取出し管理システムは、上記の取出し検知装置と、端末装置とを備え、前記端末装置は、前記取出し日時を受信する受信部と、前記取出し日時を示す表示画面を表示する表示部と、を備える。この取出し管理システムは、取出し検知装置から送信された取出し日時を受信し、表示部に表示する。
【００１４】
上記の取出し管理システムの一態様では、前記表示画面は、取出し日を示す第１の軸と取出し時刻を示す第２の軸とを有するグラフと、前記グラフ上の取出し日時の位置に表示された取出し日時マークと、予め決められた適正な取出し時刻を示す適正時刻ラインと、を含む。この態様では、被収容物の取出し日時を、適正な取出し日時を比較しつつ把握することができる。
【図面の簡単な説明】
【００１５】
【図１】実施例に係る服薬カレンダーの構成を示す。
【図２】服薬カレンダーの１つのポケットの部分の断面図である。
【図３】１つのポケットの部分におけるスイッチ部の一例を示す。
【図４】服薬カレンダーにおける配線の形成例を示す。
【図５】端末装置において薬袋の取出し日時を表示した例を示す。
【発明を実施するための形態】
【００１６】
以下、図面を参照しながら、本発明の実施の形態について説明する。
［構成］
図１は、本発明の取出し検知装置の一実施例である服薬カレンダーの構成を示す。図示のように、服薬カレンダー１０は、一週間の各曜日ごとに、朝、昼、夜、寝る前の４回の服薬を管理するように構成されている。各曜日の朝、昼、夜、寝る前の位置には、透明なビニールなどのポケット１１が設けられている。服薬すべき薬は、ビニールなどの薬袋１２に入れられており、薬袋１２が各ポケット１１に収容される。薬を服用する患者は、服薬日時に対応する薬袋１２をポケット１１から取出し服用する。なお、患者に対する投薬を管理する管理者が薬袋１２を取出し、患者に服用させる場合もある。ポケット１１は本発明における収容部の一例であり、薬袋１２は本発明における被収容物の一例である。
【００１７】
図２は、服薬カレンダー１０における１つのポケット１１の部分の断面図、具体的には図１におけるＸ１−Ｘ２断面による断面図である。なお、図２（Ａ）はポケット１１から薬袋１２が取り出される前の状態を示し、図２（Ｂ）はポケット１１から薬袋１２が取り出された後の状態を示す。
【００１８】
図１、図２（Ａ）に示すように、服薬カレンダー１０は、基本的に絶縁体シート１４、１６により構成される。絶縁体シート１４は、図１に示す服薬カレンダー１０の全体形状と同一の矩形形状であり、基材として機能する。絶縁体シート１４上には、配線１５が形成される。本実施例では、配線１５は、導電性を有するインクなどの塗料を絶縁体シート１４の面上に印刷することにより形成される。絶縁体シート１４及び後述する絶縁体シート１６を可撓性の材料で構成し、配線１５を導電性インクの印刷で構成することにより、服薬カレンダー１０全体に可撓性を持たせ、丸めて持ち運びができるようになる。
【００１９】
１つのポケット１１の部分には、ポケット１１からの薬袋１２の取出しを検知するためのスイッチが設けられている。このスイッチは、配線１５の一部として配線１５と一緒に形成されたスイッチ部１５ｘと、後述する磁石１３に設けられた導電面１３ｘとにより構成される。配線１５は、スイッチ部１５ｘの領域を除いて、絶縁体シート１６により覆われる。具体的には、絶縁体シート１６は、各ポケット１１に対応する位置に開口１６ｘを有し、配線１５のうち、開口１６ｘ内で露出しているスイッチ部１５ｘはスイッチの接点を構成している。
【００２０】
絶縁体シート１６には、透明なビニールなどのポケット１１が貼り付けられており、薬袋１２がポケット１１に収容される。ポケット１１の上部の内側には、磁石１３が設けられる。磁石１３の内側の面、即ち、絶縁体シート１６側の面には、導電面１３ｘが形成されている。導電面１３ｘは、例えば磁石の面に導電性の塗料を塗布することにより形成される。なお、磁石の表面に金属板などを貼り付けて導電面１３ｘを形成してもよい。一方、絶縁体シート１４の裏面、即ち、絶縁体シート１６と反対側の面には、金属板１７が貼り付けられている。
【００２１】
図３は、１つのポケット１１の部分におけるスイッチ部１５ｘの一例を示す図である。具体的に、図３は、図２における矢印４５の方向に１つのポケット１１の部分（図１における破線領域４０）を見た図であり、図示の便宜上、磁石１３についてはその輪郭のみを破線で示している。図示のように、絶縁体シート１６には、ポケット１１の位置に開口１６ｘが設けられており、開口１６ｘ内の領域には配線１５の一部がスイッチ部１５ｘとして形成されている。図３の例では、スイッチ部１５ｘは櫛歯状又は島状に形成されており、２つの接点１５ｘａ、１５ｘｂにより構成されている。そして、磁石１３は、開口１６ｘの位置、即ち、スイッチ部１５ｘが露出している領域と対向する位置に来るようにポケット１１に対して取り付けられている。
【００２２】
絶縁体シート１４に形成された配線１５の一部であるスイッチ部１５ｘは、電気的スイッチの２つの接点１５ｘａ、１５ｘｂを有し、磁石１３に設けられた導電面１３ｘはその２つの接点１５ｘａ、１５ｘｂを導通させるための導通面として機能する。即ち、図２（Ａ）に示すようにポケット１１に薬袋１２が収容されている状態では、磁石１３とスイッチ部１５ｘとの間には絶縁体である薬袋１２が介在しているため、２つの接点１５ｘａ、１５ｘｂが導通することはない。このため、スイッチはオフ状態となっている。なお、図２（Ａ）においては説明の便宜上、金属板１７が磁石１３に吸着されておらず、磁石１３と金属板１７との間に空間が存在している状態を示している。実際には、磁石１３の磁力（吸着力）次第で、金属板１７が磁石１３に吸着されることになるが、それでも磁石１３とスイッチ部１５ｘとの間には絶縁体の薬袋１２が存在しているため、接点１５ｘａと１５ｘｂが導通することはない。
【００２３】
これに対し、図２（Ｂ）に示すように、薬袋１２がポケット１１から取り出された後は、磁石１３とスイッチ部１５ｘとの間に介在するものが無くなるため、磁石１３の導通面１３ｘとスイッチ部１５ｘとが接触する。これにより、磁石１３の導通面１３ｘが接点１５ｘａと１５ｘｂを導通させ、スイッチがオン状態となる。こうして、ポケット１１から薬袋１２が取り出されたことを検知することができる。なお、磁石１３と金属板１７は本発明における切替え手段の一例であり、金属板１７は本発明における吸着体の一例である。
【００２４】
図４は、服薬カレンダー１０における配線１５の形成例を示す。具体的には、図４は、絶縁体シート１６が透明であるものとし、服薬カレンダー１０を図２における矢印４５の方向に見た図である。服薬カレンダー１０には、電子回路を備える回路モジュール２１が設けられる。回路モジュール２１は、時計機能を備える日時記録回路２２と、外部との無線通信のための通信モジュール２３とを備える。通信モジュール２３は、例えばＮＦＣタグなどにより構成される。
【００２５】
絶縁体シート１４上には、回路モジュール２１から各ポケット１１の位置のスイッチ部１５ｘの接点１５ｘａまで伸びるように配線１５ａが形成されている。一方、スイッチ部１５ｘの接点１５ｘｂは、共通のグランド（ＧＮＤ）線１５ｇに接続されている。配線１５ａ、１５ｇと回路モジュール２１の端子とは、例えば熱圧着により電気的に接続される。なお、図４では、各スイッチ部１５ｘの位置に、磁石１３を破線で示している。
【００２６】
前述のように、ポケット１１から薬袋１２が取り出され、スイッチがオン状態になると、その信号が配線１５を通じて回路モジュール２１に供給される。日時記憶回路２２は、スイッチがオンになった日時、即ち、薬袋１２が取り出された日時（以下、「取出し日時」と呼ぶ。）を記憶する。通信モジュール２３は、外部の端末装置３０と無線通信可能であり、端末装置３０からの要求に応じて、日時記憶回路２２に記憶されている取出し日時を端末装置３０へ送信する。こうして、薬袋１２の取出し日時を端末装置３０で管理することができる。なお、端末装置３０は、図４に示すような携帯端末の他、タブレット型端末や通常のＰＣなどであってもよい。また、端末装置３０が取得した取出し日時の情報をさらに図示しないサーバなどに送信し、複数の患者の服薬状況を統括的に管理することもできる。なお、日時記憶回路２２は本発明における日時検出部の一例であり、通信モジュール２３は本発明における送信部の一例である。
【００２７】
図５は、端末装置３０において薬袋１２の取出し日時を表示した例を示す。この表示例は、取出し日時を示すグラフ３１と取出し日時表示欄３４とを含む。グラフ３１は、横軸に薬袋１２を取り出した日付を示し、縦軸に時刻を示している。そして、取出し日時に対応する位置に、取出し日時マーク３３が表示される。図５の例は、薬袋１２が２／１５に３回取り出され、２／１６に１回取り出されたことを示している。また、グラフ３１には、適正な取出し時刻に対応する位置に適正時刻ライン３２が表示される。図５の例では、朝６時、昼の１２時、夜の１８時及び２３時の位置にそれぞれ破線の適正時刻ライン３２が表示されている。取出し日時マーク３３の位置を適正時刻ライン３２の位置と比較することにより、適正な時刻に薬が服薬されているか否かを一目で知ることができる。取出し日時表示欄３４には、薬袋１２が取り出された日時が数字で表示されている。
【００２８】
［変形例］
上記の実施例では、ポケット１１に磁石１３を設け、絶縁体シート１４の裏側に金属板１７を設けているが、これを逆にしてもよい。即ち、ポケット１１に金属板を設け、絶縁体シート１４の裏側に磁石を設けても良い。
【符号の説明】
【００２９】
１０  服薬カレンダー
１１  ポケット
１２  薬袋
１３  磁石
１４、１６  絶縁体シート
１５  配線
１７  金属板
【図１】
2018050759.tif 000003
【図２】
2018050759.tif 000004
【図３】
2018050759.tif 000005
【図４】
2018050759.tif 000006
【図５】
2018050759.tif 000007